(57)【特許請求の範囲】
【請求項１】
画像処理装置から画像データを表示装置に送信して表示装置において画像データを表示する画像処理システムであって、
前記画像処理装置は、前記画像処理装置及び前記表示装置の特性情報を記憶する処理側メモリ部と、入力された画像データを前記特性情報に基づいて前記表示装置の表示特性に最適化された画像データに変換する画像変換処理部と、変換された画像データを前記表示装置に送信する処理側送信処理部とを備え、
前記表示装置は、前記画像処理装置から送信された画像データを受信する表示側受信処理部と、受信した画像データを表示する画像表示部とを備え、
前記画像変換処理部は、変換された画像データを別の表示装置の特性情報に基づいて再変換処理する画像処理システム。
【請求項２】
前記画像処理装置は、画像データを変換処理する際に当該画像データを編集する編集部を備えている請求項１に記載の画像処理システム。
【請求項３】
前記表示装置は、画像表示に関する表示設定情報を前記画像処理装置に送信する表示側送信処理部を備えており、前記処理側送信処理部は、受信した前記表示設定情報に基づいて画像データを送信する請求項１又は２に記載の画像処理システム。
【請求項４】
前記画像変換処理部は、画像データに基づいて動画変換処理を行う請求項１から３のいずれかに記載の画像処理システム。
【請求項５】
表示装置において表示する画像データを処理する画像処理装置であって、前記画像処理装置及び前記表示装置の特性情報を記憶する処理側メモリ部と、入力された画像データを前記特性情報に基づいて前記表示装置の表示特性に最適化された画像データに変換する画像変換処理部と、変換された画像データを前記表示装置に送信する処理側送信処理部とを備え、
前記画像変換処理部は、変換された画像データを別の表示装置の特性情報に基づいて再変換処理する画像処理装置。
【請求項６】
画像処理装置から画像データを表示装置に送信して表示装置において画像データを表示する画像処理システムにおける画像処理方法であって、
前記画像処理装置において実施される、処理側メモリ部に前記画像処理装置及び前記表示装置の特性情報を記憶する工程と、入力された画像データを前記特性情報に基づいて前記表示装置の表示特性に最適化された画像データに変換する画像変換処理工程と、変換された画像データを前記表示装置に送信する処理側送信処理工程と、
前記表示装置において実施される、前記画像処理装置から送信された画像データを受信する表示側受信処理工程と、受信した画像データを表示する画像表示工程と、を有し、
前記画像変換処理工程では、変換された画像データを別の表示装置の特性情報に基づいて再変換処理する画像処理システムにおける画像処理方法。
【発明の詳細な説明】
【技術分野】
【０００１】
本発明は、画像処理システム、それに用いる画像処理装置及び表示装置並びに画像処理システムにおける画像処理方法に関する。
【背景技術】
【０００２】
プロジェクタ等の表示装置で画像表示を行う場合、パーソナルコンピュータ等の情報処理装置にプロジェクタを接続し、情報処理装置において表示するスライド等の表示画面を作成して表示することが一般的に行われている。しかしながら、こうした表示方法では、表示装置及び情報処理装置をセットで使用するため、表示装置を用いてプレゼンテーションを行う場所に両方の装置を携行しなければならず、大きな負担となる。情報処理装置を携行してプレゼンテーションを行う場所に設置された表示装置に接続して使用することも行われているが、表示装置に情報処理装置がうまく接続できない場合や接続したとしても表示装置で表示するための情報処理装置の設定作業が必要となる場合がある。
【０００３】
プロジェクタ等の表示装置を用いた表示方法としては、情報処理装置以外の複写機、プリンタ、ファクシミリ等の画像処理装置に接続して表示することが提案されている。例えば、特許文献１では、プロジェクタから要求された文書データの特性を分析し、その特性結果に基づいて、文書データをプロジェクタにより表示するための表示データを生成すると共に、プロジェクタを制御するための制御コマンドを決定し、生成した表示データと決定した制御コマンドとを組み合わせてプレゼンテーションデータとしてプロジェクタに送信して文書データを表示させる画像処理装置が記載されている。また、特許文献２では、出力用データの出力先として印刷装置又はプロジェクタを指定して、プロジェクタでも画像表示が可能とする画像処理連携システムが記載されている。また、特許文献３では、原稿をスキャナにより読み取り、読み取った原稿の画像データをプロジェクタに供給して画面表示することができる画像処理装置が記載されている。
【０００４】
図３３は、紙資料をプロジェクタにより表示する場合の従来の方法に関する説明図である。この方法では、デジタル複合機等の原稿読取機能（スキャナ）を有する画像処理装置３００を用いて、表示する紙資料Ｐを読み取り画像データＭを得る。そして、読み取られた画像データを、パーソナルコンピュータ等の情報処理装置３０１に通信ネットワークを介して送信する。情報処理装置３０１は、通信ケーブルによりプロジェクタ３０２と接続されており、情報処理装置３０１を操作することで、送信された画像データＭをプロジェクタ３０２に転送する。そして、プロジェクタ３０２は、転送された画像データＭをスクリーンＳに投影して画像表示する。また、画像処理装置３００に着脱可能に接続されたＵＳＢメモリやフラッシュメモリ等の記憶媒体３０３に画像データＭを書き込み、記憶媒体３０３をプロジェクタ３０２に接続して画像データＭを表示することもできる。
【０００５】
この方法では、情報処理装置３０１から画像処理装置３００にアクセスして画像処理装置３００内に蓄積された文書データをダウンロードし、情報処理装置３０１からプロジェクタ３０２に文書データを転送して画像表示させることもできる。また、画像処理装置３００内に蓄積された文書データを一旦紙資料として出力した後、上述したように紙資料を読み取って画像データを得て、得られた画像データをプロジェクタ３０２に画面表示させることもできる。
【０００６】
しかしながら、このように情報処理装置以外の装置で作成された画像データをプロジェクタで表示する場合、様々な不具合が生じるようになる。図３４は、プロジェクタで正確に表示されない例を示している。ｃａｓｅ１では、プロジェクタがＪＰＥＧ形式の画像データのみ表示可能である場合に、例えばＴＩＦＦ形式の画像データが入力されたために表示されない。ｃａｓｅ２では、入力された画像データの方向がプロジェクタの表示方向と合っていないため、正確に表示されていない。ｃａｓｅ３では、画像データのデータ容量がプロジェクタのメモリ仕様よりも大きいために表示されない。ｃａｓｅ４では、画像データのサイズがプロジェクタの画面サイズよりも大きいために画像データの一部分しか表示されない。
【発明の概要】
【発明が解決しようとする課題】
【０００７】
上述したように、プロジェクタ等の表示装置に対してパーソナルコンピュータ等の情報処理装置以外の画像処理装置から画像データを提供して画像表示させる場合に、表示装置で正確に表示させることが難しい、という課題があった。
【０００８】
そこで、本発明は、画像処理装置から提供される画像データを表示装置において正確に表示される画像データに最適化することができる画像処理システムを提供することを目的とするものである。
【課題を解決するための手段】
【０００９】
本発明に係る画像処理システムは、画像処理装置から画像データを表示装置に送信して表示装置において画像データを表示する画像処理システムであって、前記画像処理装置は、前記画像処理装置及び前記表示装置の特性情報を記憶する処理側メモリ部と、入力された画像データを前記特性情報に基づいて前記表示装置の表示特性に最適化された画像データに変換する画像変換処理部と、変換された画像データを前記表示装置に送信する処理側送信処理部とを備え、前記表示装置は、前記画像処理装置から送信された画像データを受信する表示側受信処理部と、受信した画像データを表示する画像表示部とを備え、前記画像変換処理部は、変換された画像データを別の表示装置の特性情報に基づいて再変換処理する。
【発明の効果】
【００１０】
本発明は、上記の構成を有することで、画像処理装置において表示装置の表示特性に合わせて最適化された画像データに変換して、表示装置において正確に画像表示することができるようになる。
【図面の簡単な説明】
【００１１】
【図１】本発明に係る実施形態に関するシステム構成図である。
【図２】画像処理装置に関するハードウェア構成図である。
【図３】プロジェクタに関するハードウェア構成図である。
【図４】画像処理装置に関する機能ブロック構成図である。
【図５】プロジェクタに関する機能ブロック構成図である。
【図６】画像処理装置及びプロジェクタに関する画像表示処理に関するフローである。
【図７】画像処理装置の初期化処理に関するフローである。
【図８】画像処理装置に関する初期設定画面を例示する説明図である。
【図９】画像処理装置の画像変換処理に関するフローである。
【図１０】入力画像の設定画面を例示する説明図である。
【図１１】入力画像を手動で設定する場合の設定画面を例示する説明図である。
【図１２】画像変換処理の際の変換設定に関する処理フローである。
【図１３】画像処理装置及びプロジェクタのスペック情報に基づいて最適化変換設定を行う場合の具体例を示す説明図である。
【図１４】変換設定を行う場合の設定画面を例示する説明図である。
【図１５】ネットワーク接続されたプロジェクタ別に変換設定した表示画面を例示する説明図である。
【図１６】デフォルト変換の場合の表示画面を例示する説明図である。
【図１７】タイプ別に変換設定した表示画面を例示する説明図である。
【図１８】手動で各項目を設定する場合の表示画面を例示する説明図である。
【図１９】画像データを再変換処理する場合の工程を示す説明図である。
【図２０】画像変換処理の際の編集設定に関する処理フローである。
【図２１】編集設定画面を例示する説明図である。
【図２２】画像変換処理の際の画像変換に関する処理フローである。
【図２３】画像送信処理に関するフローである。
【図２４】１ページ単位で送信する場合の説明図である。
【図２５】文書単位で送信する場合の説明図である。
【図２６】選択された全文書を送信する場合の説明図である。
【図２７】プロジェクタのメモリ容量等のスペックに対応して送信する場合の説明図である。
【図２８】蓄積文書を選択して送信する場合の設定画面に関する説明図である。
【図２９】プロジェクタの初期化処理に関するフローである。
【図３０】プロジェクタに関する初期設定画面を例示する説明図である。
【図３１】プロジェクタの受信処理に関するフローである。
【図３２】画像処理装置及びプロジェクタの間における画像表示処理に関するシーケンスを示す説明図である。
【図３３】紙資料をプロジェクタにより表示する場合の従来の方法に関する説明図である。
【図３４】プロジェクタで正確に表示されない例を示す説明図である。
【発明を実施するための形態】
【００１２】
以下、本発明の実施形態について図面を用いて説明する。図１は、本発明に係る実施形態に関するシステム構成図である。画像処理システムは、画像処理装置１及び表示装置であるプロジェクタ２を備えており、画像処理装置１は、原稿読取機能（スキャナ）を備えており、プロジェクタ２に画像表示する紙資料Ｐを読み取り、読み取った画像データＭを蓄積する。また、画像処理装置１は、外部装置から提供された画像データを蓄積することもできる。プロジェクタ２は、画像処理装置１から提供される画像データＭをスクリーンＳに投影して画像表示を行う。画像処理装置１から提供される画像データは、有線又は無線通信により送信されてもよく、また画像処理装置１からＵＳＢメモリ等の記憶媒体に画像データを書き込んでおき、記憶媒体をプロジェクタ２に接続して提供するようにしてもよい。画像処理装置１は、後述するように、プロジェクタ２の特性情報を得て、得られた特性情報に基づいてプロジェクタ２の表示特性に最適化された画像データに変換処理する。そして、変換処理した画像データをプロジェクタ２に提供することで、画像データを正確に画像表示することができるようになる。
【００１３】
図２は、画像処理装置１に関するハードウェア構成図である。制御部１０は、装置全体を制御し、操作表示部１１は、各種情報を表示する表示パネルを備えてタッチパネル方式により操作データを入力する。画像入力部１２は、画像読取処理により画像データを入力し、画像出力部１３は、用紙等の媒体に画像データを出力する。メモリ部１４は、画像処理装置１に関するスペック情報等の特性情報が記憶されている。また、プロジェクタ２から取得したプロジェクタ２に関するスペック情報等の特性情報も記憶するようになっている。編集部１５は、印字、スタンプ、回転、変倍、合成（集約）等の編集処理を行う。一次記憶部１６は、画像入力部１２から入力された画像データや編集処理された画像データを記憶して展開し各種処理を行い、二次記憶部１７は、処理された画像データを格納しておく。画像変換部１８は、画像データを所望のフォーマット、解像度及び色合いに変換し、パラメータの設定を変更することで色調を変換することができる。動画変換部１９は、画像変換部１８により作成された画像データを動画形式に置換する。記憶媒体入出力部２０は、ＵＳＢメモリ、ＳＤカード等の記憶媒体が接続されてデータの読取処理及び書込み処理を行う。通信部２１は、プロジェクタ２を含む外部装置と通信を行う。例えば、ＩＥＥＥ１３９４，ＵＳＢ，ＬＡＮ等により外部装置との間でデータやコマンドを送受信する。
【００１４】
図３は、プロジェクタ２に関するハードウェア構成図である。制御部３０は、装置全体を制御し、操作部３１は、各種情報を表示する表示パネルを備えてタッチパネル方式により操作データを入力する。必要に応じて画像表示部３４において表示された設定画面を用いて操作するようにしてもよい。メモリ部３２は、プロジェクタ２のスペック情報等の特性情報が記憶されている。記憶部３３は、画像データを記憶して展開し各種処理を行う。画像表示部３４は、表示する画像データを展開して表示処理する。記憶媒体入出力部３５は、ＵＳＢメモリ、ＳＤカード等の記憶媒体が接続されてデータの読取処理及び書込み処理を行う。通信部３６は、外部装置と通信を行う。例えば、ＩＥＥＥ１３９４，ＵＳＢ，ＬＡＮ，ＲＳ−２３２Ｃ，ＨＤＭＩ等により外部装置との間で画像データ入力、データやコマンドの送受信を行う。
【００１５】
図４は、画像処理装置１に関する機能ブロック構成図である。画像入力処理部１００は、利用者の変換要求に基づき入力設定を行って画像データの入力処理を行う。画像変換処理部１０１は、利用者による変換設定、画像入力処理部１００からの入力画像データ及び最適化処理部からの変換設定に基づいて画像変換を行う。設定部１０２は、画像処理装置１及びプロジェクタ２のスペック情報等の特性情報といった画像変換に必要なデータを設定する。プロジェクタ２に関する特性情報については、プロジェクタ２から取得したり、予め画像処理装置１に登録しておくことができる。最適化処理部１０３は、設定部１０２において設定された情報に基づいて、プロジェクタ２で画像表示するのに最適な画像変換設定を行う。例えば、プロジェクタのメモリ容量や処理内容に応じて画像サイズを調整するといったプロジェクタの表示特性に合わせた最適な画像データに変換するように設定する。送信処理部１０４は、処理された画像データをプロジェクタ２に送信する際の設定を行う。具体的には、プロジェクタ２側の設定に合わせるか、画像処理装置１側の設定に合わせるか、利用者による手動設定に合わせるか、のいずれかの設定を選択する。通信部１０５は、外部装置との間でデータやコマンドの送受信を行う。例えば、送信処理部１０４での送信設定により画像データを送信したり、プロジェクタ２から送信されたスペック情報等を受信する処理を行う。
【００１６】
図５は、プロジェクタ２に関する機能ブロック構成図である。設定部２００は、画像表示に必要な情報の初期設定や利用者による表示要求による設定を行う。表示処理部２０１は、設定部２００での設定内容や受信処理部２０３で受信される画像データに基づいて画像データの表示を行う。送信処理部２０２は、画像処理装置１に対してプロジェクタ２の特性情報や表示設定を送信するとともに画像データの送信を要求する。受信処理部２０３は、表示設定に基づいて画像データの受信方法を設定する。例えば、画像データを１ページ単位で受信するか、まとめて受信するかといった設定をして、画像データを受信する。通信部２０４は、外部装置との間でデータやコマンドの送受信を行い、送信処理部２０２及び受信処理部２０３における処理内容に基づいてデータ等を送受信する。
【００１７】
図６は、画像処理装置１及びプロジェクタ２に関する画像表示処理に関するフローである。画像処理装置１側では、まず、初期化処理が行われ（Ｓ１）、それに対応してプロジェクタ２側でも初期化処理（Ｓ４）が行われる。そして、初期化処理の間に、画像処理装置１とプロジェクタ２との間でスペック情報等の特性情報や表示設定情報の送受信が行われる。画像処理装置１側では、初期化処理を行った後、画像データの変換処理が行われてプロジェクタ２の表示特性に最適化された画像データが作成される（Ｓ２）。そして、画像処理装置１から変換処理された画像データの送信処理が行われ（Ｓ３）、それに対応してプロジェクタ２側で画像データの受信処理が行われる（Ｓ５）。
【００１８】
図７は、画像処理装置１の初期化処理に関するフローである。初期化設定を行うか否かをチェックし（Ｓ１０１）、初期化設定を行う場合には（Ｓ１０１；ＹＥＳ）、通信設定を行う（Ｓ１０２）。通信設定では、画像処理装置１と通信ネットワークを介して接続された外部機器との間の通信状態等を確認する。通信設定後、プロジェクタ２との間の通信状態をチェックし（Ｓ１０３）、プロジェクタ２との間の通信が可能である場合には（Ｓ１０３；ＹＥＳ）、プロジェクタ２のスペック情報の取得処理を行う（Ｓ１０４）。そして、変換用プロジェクタリストに取得したプロジェクタ２のスペック情報を追加する（Ｓ１０５）。次に、プロジェクタ２の表示設定情報を取得し（Ｓ１０６）、取得した表示設定に合わせて送信設定処理を行う（Ｓ１０７）。送信設定処理では、ページ単位で送信するか、文書単位で送信するか、全文書単位で送信するか設定する。次に、画像処理装置１のスペック情報を設定し（Ｓ１０８）、初期設定情報を登録する（Ｓ１０９）。ステップＳ１０１において初期設定を行わない場合には（Ｓ１０１；ＮＯ）、そのまま終了する。また、ステップＳ１０３においてプロジェクタ２と通信可能な状態でない場合には（Ｓ１０３；ＮＯ）、ステップＳ１０７に進み、送信設定処理を行う。
【００１９】
図８は、画像処理装置１に関する初期設定画面を例示する説明図である。この例では、プロジェクタ送信に関する初期設定について、解像度、画像形式、動画形式、送信設定及び画像の向きの各項目を選択するようになっている。初期設定された設定情報がデフォルト値となって以後の変換処理等で使用される。動画形式の場合には、スライドショーのように画面の表示時間の間隔を指定するようになっている。
【００２０】
図９は、画像処理装置１の画像変換処理に関するフローである。
まず、画像データの入力処理が行われたか否かをチェックし（Ｓ１１０）、入力画像データの場合には（Ｓ１１０；ＹＥＳ）、入力画像の設定を行う。ここでは、用紙に対応した設定を行い、フルカラー／モノクロの設定、用紙サイズの設定等を行う（Ｓ１１１）。ここで、図１０は、入力画像の設定画面を例示する説明図である。この例では、コピー、スキャナ、ＦＡＸ、プロジェクタについて設定できるようになっており、プロジェクタが選択される。また、図１１は、入力画像を手動で設定する場合の設定画面を例示する説明図である。この例では、画像データのサイズ（大きさ）、向き、明るさ、ページ数が設定される。最適化処理が行われる場合には、明るさは強制的に自動設定となる。こうした設定データは画像データと関連付けられて記憶され、変換処理の際に使用される。
ここで、再び図９に戻り、ステップＳ１１０で、入力画像データでない場合には（Ｓ１１０；ＮＯ）、蓄積画像データを選択し（Ｓ１１２）、後述する変換設定を行う（Ｓ１１３）。変換設定後、後述する編集設定を行い（Ｓ１１４）、後述する画像変換処理を行う（Ｓ１１５）。画像変換処理した画像データは蓄積されて（Ｓ１１６）、全ての画像データについて画像変換処理が終了したか否かチェックをする（Ｓ１１７）。画像変換処理がされていない画像データが残っている場合には（Ｓ１１７；ＮＯ）、ステップＳ１１０に戻り、次の画像データを処理する。全ての画像データについて画像変換処理が終了した場合には（Ｓ１１７；ＹＥＳ）プロジェクタ対応画像データとして記憶して（Ｓ１１８）終了する。
【００２１】
図１２は、画像変換処理の際の変換設定に関する処理フローである。
まず、蓄積画像データであるか否かをチェックし（Ｓ１２０）、蓄積画像データである場合には（Ｓ１２０；ＹＥＳ）、プロジェクタ対応に変換していない画像データであるか否かチェックをする（Ｓ１２１）。まだ変換されていない画像データの場合には（Ｓ１２１；ＹＥＳ）変換設定を選択する（Ｓ１２２）。変換設定としては、この例では、プロジェクタ側の初期設定に合わせた変換設定（Ｓ１２３）、画像処理装置側の初期設定（デフォルト）に合わせた変換設定（Ｓ１２４）又は利用者の手動による変換設定（Ｓ１２５）のいずれかを選択する。ステップＳ１２０において蓄積画像データでない場合には（Ｓ１２０；ＮＯ）ステップＳ１２２に進み、変換設定が行われる。ステップＳ１２１においてプロジェクタ対応の画像データである場合には（Ｓ１２１；ＮＯ）画像データの再変換を行うか否かをチェックし（Ｓ１２６）、再変換を行う場合には（Ｓ１２６；ＹＥＳ）画像データの復号処理を行って変換前の画像データに復号して（Ｓ１２７）ステップＳ１２２に進み、変換設定が行われる。ステップＳ１２６において再変換しない場合には（Ｓ１２６；ＮＯ）画像変換処理を行わない設定にして（Ｓ１２８）終了する。
【００２２】
図１３は、画像処理装置１及びプロジェクタ２のスペック情報に基づいて最適化変換設定を行う場合の具体例を示す説明図である。
この例では、両者のスペック情報を比較して最適な変換設定を行うようにしている。最適化変換設定では、画像データの解像度、変換画像形式、動画形式、明るさ及び向きが設定される。画像データの解像度については、両者のメモリ容量（画像処理装置１では１Ｇ、プロジェクタ２では２５６Ｍ）を比較して２００ｄｐｉに設定している。また、画像データの画像形式及び動画形式については、両者が対応可能なＪＰＥＧ形式及びＭＰＥＧ２形式に設定されている。画像データの明るさについては、プロジェクタ２の設定に基づいて設定している。画像データの向きについては、プロジェクタ２のアスペクト比に基づいて設定している。こうして作成された最適化設定データは、ネットワーク接続されたプロジェクタのリストと関連付けられて登録される。
【００２３】
図１４は、変換設定を行う場合の設定画面を例示する説明図である。この例では、プロジェクタの変換設定に関する設定画面であり、ネットワーク接続されたプロジェクタ別の変換ケース、画像処理装置にデフォルト値に基づく変換ケース、手動で行う場合のマニュアル変換ケース及び予め登録したタイプ別変換ケースといった変換ケースが選択できるようになっている。デフォルト変換の場合には、画像処理装置の初期設定値を用いて変換される。また、マニュアル設定の場合には、変換に必要な各項目を手動で設定するようになる。
図１５は、ネットワーク接続されたプロジェクタ別に変換設定した表示画面を例示する説明図である。この例では、上述した最適化設定された設定データが表示されており、動画形式については選択できるようになっている。
図１６は、デフォルト変換の場合の表示画面を例示する説明図である。この場合には、画像処理装置１の初期設定されたデータが表示されている。
図１７は、タイプ別に変換設定した表示画面を例示する説明図である。この例では、画像処理装置１に予めプロジェクタに対応するタイプ別の設定データが登録されており、タイプ別に登録された設定データを表示する。送信設定については、実際に送信するプロジェクタに合わせて手動で設定する。
図１８は、手動で各項目を設定する場合の表示画面を例示する説明図である。この例では、入力画像について、解像度、画像形式、画像の向き、送信設定について予め利用者が選択できるようになっている。最適化処理を行い場合には、手動設定されたデータは最適化されたデータに強制的に設定される。
【００２４】
また、図１９は、画像データを再変換処理する場合の工程を示す説明図である。
この例では、プロジェクタ対応の文書データＭがＪＰＥＧ形式の画像データとして画像処理装置１に蓄積されている。再変換処理を行う場合には、文書データＭを読み出して復号処理を行い、画像変換前の文書データｍに戻す。そして、文書データｍに回転、変倍等の編集処理を行い、編集した文書データｍ’を再度圧縮処理してＪＰＥＧ形式の文書データＭ’を作成する。作成された文書データＭ’をプロジェクタ２に送信する。このように再変換処理することで、一旦変換処理した画像データについても改めて編集処理を行い、別のプロジェクタ対応の画像データとして再作成することができる。
【００２５】
図２０は、画像変換処理の際の編集設定に関する処理フローである。まず、画像変換処理を行うか否かをチェックし（Ｓ１３０）、変換しない設定になっている場合には（Ｓ１３０；ＮＯ）そのまま終了する。画像変換処理を行う場合には（Ｓ１３０；ＹＥＳ）編集処理を行うか否か否かをチェックし（Ｓ１３１）、編集処理を行わない場合には（Ｓ１３１；ＮＯ）そのまま終了する。編集処理を行う場合には（Ｓ１３１；ＹＥＳ）編集設定を選択する（Ｓ１３２）。
この例では、編集処理として、印字処理（Ｓ１３３）、スタンプ処理（Ｓ１３４）、集約（合成）処理（Ｓ１３５）、センタリング処理（Ｓ１３６）、回転処理（Ｓ１３７）又は変倍処理（Ｓ１３８）のいずれかを選択し、選択された処理を行う。
【００２６】
ここで、図２１は、編集設定画面を例示する説明図である。この例では、画像処理装置１の編集機能を選択してプロジェクタ対応画像データを編集することができる。画像データの回転角度を選択したり、変倍の倍率を指定することもできる。最適化処理を行う場合には、回転及び変倍は強制的に自動に設定される。例えば、プロジェクタの解像度の初期設定値が２００ｄｐｉで、画像処理装置の入力画像の解像度が６００ｄｐｉに設定されている場合には、変倍の倍率は３３．３％に設定されるようになる。回転処理の場合には、入力画像が天地が逆になっている場合等に画像データが正しい向きとなるように回転させる。
再び、図２０において、ステップＳ１３９で、編集処理が終了したか否かをチェックし（Ｓ１３９）、終了していない場合には（Ｓ１３９；ＮＯ）ステップＳ１３２に戻り、別の編集処理を選択する。編集処理が終了した場合（Ｓ１３９；ＹＥＳ）、編集設定を終了する。
【００２７】
図２２は、画像変換処理の際の画像変換に関する処理フローである。
まず、画像変換を行うか否かをチェックし（Ｓ１４０）、画像変換を行わない場合には（Ｓ１４０；ＮＯ）そのまま終了する。画像変換を行う場合には（Ｓ１４０；ＹＥＳ）変換設定に基づいて画像変換処理を行う（Ｓ１４１）。そして、動画変換するか否かをチェックし（Ｓ１４２）、動画変換しない場合には（Ｓ１４２；ＮＯ）終了する。動画変換する場合には（Ｓ１４２；ＹＥＳ）設定された秒数により動画変換を行う（Ｓ１４３）。
【００２８】
図２３は、画像送信処理に関するフローである。
まず、送信設定を判定する（Ｓ１５０）。ネットワーク接続されたプロジェクタに設定されているか（Ｓ１５１）、デフォルト設定されているか（Ｓ１５２）、手動設定されているか（Ｓ１５３）を判定して、判定された送信設定に応じて通信設定を行う（Ｓ１５４）。そして、通信設定に基づいて画像データの送信を開始する（Ｓ１５５）。送信中にプロジェクタ２から所望の画像データの送信要求があるか否かをチェックし（Ｓ１５６）、送信要求がない場合（Ｓ１５６；ＮＯ）には全ての画像データの送信が終了したか否かチェックをする（Ｓ１５７）。送信していない画像データがある場合には（Ｓ１５７；ＮＯ）、ステップＳ１５６に戻り、送信処理を行いながらプロジェクタ２からの送信要求の有無をチェックする。ステップＳ１５６において送信要求がある場合には（Ｓ１５６；ＹＥＳ）送信要求された指定画像データについて送信設定して送信処理を続行する。そして、全ての画像データについて送信が終了した場合には（Ｓ１５７；ＹＥＳ）終了する。
【００２９】
図２４は、１ページ単位で送信する場合の説明図である。
この例では、一連の画像データについて１ページずつ送信処理を行い、プロジェクタ２から指定されたページの送信要求がある場合には、ページを飛ばして指定ページの画像データを送信することができる。
図２５は、文書単位で送信する場合の説明図である。
この例では、文書単位でまとめて画像データをプロジェクタ２に送信し、送信された画像データを蓄積してプロジェクタ２がページの切り替えを行うことができる。この場合、ファイル単位で送信するようにすることもできる。
図２６は、選択された全文書を送信する場合の説明図である。
この例では、画像処理装置１から選択された全文書をプロジェクタ２に送信する。プロジェクタ２は、メモリ内に格納可能な画像データを蓄積して画像表示を行う。蓄積しきれなかった画像データについては、プロジェクタ２から送信要求がある場合に画像処理装置１から画像データを送信し、プロジェクタ２では、メモリ内の画像データを順次削除して新たな画像データを蓄積していく。メモリ内の画像データの削除方法はプロジェクタ２において設定することができ、最初に蓄積した画像データから削除したり、最後に蓄積した画像データを削除することで、新たな画像データを蓄積する。
【００３０】
図２７は、プロジェクタ２のメモリ容量等のスペックに対応して送信する場合の説明図である。
この例では、画像処理装置１において送信する全画像データがプロジェクタ２のメモリに格納されるように画像変換されている。そのため、全ての画像データをプロジェクタ２に送信することができ、プロジェクタ２が適宜ページの切り替え等の処理を行うことが可能となる。
図２８は、蓄積文書を選択して送信する場合の設定画面に関する説明図である。
この例では、画像処理装置１において画像データとして文書Ａ〜文書Ｄが蓄積されており、それぞれ入力方法の種類によって入力設定時の特性情報が関連付けられて記憶されている。そのため、文書をプロジェクタ２に送信する場合には、送信する文書の特性情報に基づいてプロジェクタ２の表示特性に最適化された画像データに変換して送信されるようになる。入力方法がプロジェクタからの得られた文書の場合には、文書を変換せずに送信するか再変換して送信される。
【００３１】
図２９は、プロジェクタ２の初期化処理に関するフローである。
プロジェクタ２の初期化処理においては、まず、初期化設定を行うか否かをチェックし（Ｓ２０１）、初期化設定を行う場合には（Ｓ２０１；ＹＥＳ）、プロジェクタ２の表示設定を行う（Ｓ２０２）。表示設定では、ページ単位で受信して表示するか、文書単位で受信して表示するか、全文書を受信して表示するか、メモリ容量に応じて受信ページ数に制限するか、のいずれかを設定する。次に、プロジェクタ２は、通信設定処理を行う（Ｓ２０３）。通信設定では、プロジェクタ２と通信ネットワークを介して接続された外部機器との間の通信状態等を確認する。通信設定後、画像処理装置１との間の通信状態をチェックし（Ｓ２０４）、プロジェクタ２との間の通信が可能である場合には（Ｓ２０４；ＹＥＳ）、プロジェクタ２のスペック情報の送信処理を行う（Ｓ２０５）。そして、プロジェクタ２の表示設定情報を送信し（Ｓ２０６）、初期設定情報を登録する（Ｓ２０７）。ステップＳ２０１において初期設定を行わない場合には（Ｓ２０１；ＮＯ）、そのまま終了する。また、ステップＳ２０４において画像処理装置１と通信可能な状態でない場合には（Ｓ２０４；ＮＯ）、ステップＳ２０７に進み、初期設定情報を登録する。
図３０は、プロジェクタ２に関する初期設定画面を例示する説明図である。この例では、プロジェクタ受信に関する初期設定について、ページ単位、文書単位、全文書、スペック対応受信のいずれかの受信設定を選択するようになっている。選択された受信設定は、画像処理装置１に送信される。
【００３２】
図３１は、プロジェクタ２の受信処理に関するフローである。
プロジェクタ２の受信処理においては、まず、画像処理装置１から送信要求があるか否かチェックをする（Ｓ２１１）。送信要求がある場合には（Ｓ２１１；ＹＥＳ）画像処理装置１から送信設定を受信し（Ｓ２１２）、送信設定を確認する（Ｓ２１３）。この例では、送信設定が、ページ単位の送信設定（Ｓ２１４）、文書単位の送信設定（Ｓ２１５）、全文書の送信設定（Ｓ２１６）、スペック対応の送信設定（Ｓ２２６）のいずれであるかを確認して、確認した送信設定に対応する受信設定を行う。ページ単位、文書単位及び全文書の送信設定の場合には、メモリの空き容量があるか否かチェックをする（Ｓ２１７）。メモリの空き容量がある場合には（Ｓ２１７；ＹＥＳ）画像データを受信する（Ｓ２１８）。
画像データの受信が終了したか否かをチェックし（Ｓ２１９）、受信が終了していない場合には（Ｓ２１９；ＮＯ）ステップＳ２１７に戻る。画像データの受信が終了した場合には（Ｓ２１９；ＹＥＳ）利用者が指定した画像を表示する（Ｓ２２０）。そして、利用者から指定した画像の要求があるか否かをチェックし（Ｓ２２１）、指定画像の要求がある場合には（Ｓ２２１；ＹＥＳ）メモリ上に蓄積されているか否かチェックをする（Ｓ２２２）。メモリ上に蓄積されている場合には（Ｓ２２２；ＹＥＳ）ステップＳ２２０に戻り、指定した画像を表示する。メモリ上に蓄積されていない場合には（Ｓ２２２；ＮＯ）ステップＳ２１７に戻り、指定画像をメモリに蓄積するためにメモリの空き容量をチェックする。ステップＳ２２１において指定画像の要求がない場合には、画像表示を継続して（Ｓ２２５）ステップＳ２２１に戻り、指定画像の要求の有無をチェックする。
【００３３】
ステップＳ２１７においてメモリの空き容量がない場合には、メモリ上に１ページ分の画像データが蓄積されているチェックする（Ｓ２２３）。１ページ分の画像データが蓄積されている場合には（Ｓ２２３；ＹＥＳ）メモリ上に蓄積された最初に受信した画像データを表示する（Ｓ２２４）。そして、画像表示を継続して（Ｓ２２５）ステップＳ２２１に進み、指定画像の要求の有無をチェックする。ステップ２２３において１ページ分の画像データが蓄積されていない場合には（Ｓ２２３；ＮＯ）送信された画像データがメモリに格納できないため表示不可処理を行い、画像受信処理を終了する。
ステップＳ２１３においてスペック対応の送信設定の場合には（Ｓ２２６）、送信される全画像データを受信し（Ｓ２２７）、利用者の指定した画像を表示する（Ｓ２２８）。そして、利用者から指定した画像の要求があるか否かをチェックし（Ｓ２２９）、指定画像の要求がある場合には（Ｓ２２９；ＹＥＳ）ステップＳ２２８に戻り、指定画像の表示を行う。指定画像の要求がない場合には（Ｓ２２９；ＮＯ）画像表示を継続し（Ｓ２３０）、ステップＳ２２９に戻り、指定画像の要求の有無をチェックする。
【００３４】
図３２は、画像処理装置１及びプロジェクタ２の間における画像表示処理に関するシーケンスを示す説明図である。
画像処理装置１及びプロジェクタ２は、起動時に初期化処理を行い、その際に、上述したように画像表示に関する初期設定を行う。そして、画像処理装置側からネットワーク接続検索が行われ（Ｓ３０１）、それに対してプロジェクタ２側から接続可能の応答がなされる（Ｓ３０２）。そして、プロジェクタ２側からスペック情報及び表示設定情報が送信される（Ｓ３０３）。
画像処理装置１側では、受信したプロジェクタ２のスペック情報に基づいてプロジェクタ２において表示するのに最適な画像データに変換するための設定が行われ、送信する画像データを変換してプロジェクタ対応の画像データを作成する。
プロジェクタ２側から画像データの送信要求がなされると（Ｓ３０４）、画像処理装置１側から送信画像に関するページ数、文書数等のデータが送信され（Ｓ３０５）、画像送信通知が行われる（Ｓ３０６）。プロジェクタ２側から画像データの受信ＯＫを通知すると（Ｓ３０７）、画像処理装置１側から画像データの送信が行われる（Ｓ３０８）。画像データの送信が完了すると、プロジェクタ２側から受信完了通知が行われる（Ｓ３０９）。以後、ステップＳ３０４からＳ３０９までの画像データ送信処理が適宜行われて、プロジェクタ２の表示設定に基づいて画像表示が行われる。
【００３５】
以上説明したように、画像処理装置１とプロジェクタ２等の表示装置とを接続して、画像処理装置１に蓄積された画像データを表示装置で表示させる場合に、画像処理装置１において表示装置の特性情報に基づいて表示装置に最適化された画像データに変換する。そして、変換された画像データを表示装置に送信することで、画像データを再調整することなく正確に画像表示することができる。
【符号の説明】
【００３６】
１・・・画像処理装置、２・・・プロジェクタ、１０・・・制御部、１１・・・操作表示部、１２・・・画像入力部、１３・・・画像出力部、１４・・・メモリ部、１５・・・編集部、１６・・・一次記憶部、１７・・・二次記憶部、１８・・・画像変換部、１９・・・動画変換部、２０・・・記憶媒体入出力部、２１・・・通信部、３０・・・制御部、３１・・・操作部、３２・・・メモリ部、３３・・・記憶部、３４・・・画像表示部、３５・・・記憶媒体入力部、３６・・・通信部。
【先行技術文献】
【特許文献】
【００３７】
【特許文献１】特開２０１１−１１８０９９号公報
【特許文献２】特開２０１１−０３４４６０号公報
【特許文献３】特開２００３−３４８２６９号公報
【図１】
0005970887.tif 000002
【図２】
0005970887.tif 000003
【図３】
0005970887.tif 000004
【図４】
0005970887.tif 000005
【図５】
0005970887.tif 000006
【図６】
0005970887.tif 000007
【図７】
0005970887.tif 000008
【図８】
0005970887.tif 000009
【図９】
0005970887.tif 000010
【図１０】
0005970887.tif 000011
【図１１】
0005970887.tif 000012
【図１２】
0005970887.tif 000013
【図１３】
0005970887.tif 000014
【図１４】
0005970887.tif 000015
【図１５】
0005970887.tif 000016
【図１６】
0005970887.tif 000017
【図１７】
0005970887.tif 000018
【図１８】
0005970887.tif 000019
【図１９】
0005970887.tif 000020
【図２０】
0005970887.tif 000021
【図２１】
0005970887.tif 000022
【図２２】
0005970887.tif 000023
【図２３】
0005970887.tif 000024
【図２４】
0005970887.tif 000025
【図２５】
0005970887.tif 000026
【図２６】
0005970887.tif 000027
【図２７】
0005970887.tif 000028
【図２８】
0005970887.tif 000029
【図２９】
0005970887.tif 000030
【図３０】
0005970887.tif 000031
【図３１】
0005970887.tif 000032
【図３２】
0005970887.tif 000033
【図３３】
0005970887.tif 000034
【図３４】
0005970887.tif 000035